(57)【要約】      （修正有）【課題】箱詰め完了時、箱の上方開口部を密封状に閉鎖して異物の混入を防止できる箱詰め蓋投入装置を得ること。【解決手段】フォーマーにて圧造され、洗浄、乾燥、検査が施されて順次供給されてくる圧造製品Ｓを空箱に一定量箱詰めする箱詰め手段と、箱詰めが完了したとき、異物が混入しないように箱詰め完了箱Ａ′の上方開口部から箱Ａ′内に取り外し可能な蓋Ｆを水平状態を維持しながら投入して、上方開口部を密封状に閉鎖する蓋投入手段７とを設けた。【選択図】図３
0003134576.tif 000002
【実用新案登録請求の範囲】
【請求項１】
フォーマーにて圧造され、洗浄、乾燥、検査が施されて順次供給されてくる圧造製品を空箱に一定量箱詰めする箱詰め手段と、箱詰めが完了したとき、異物が混入しないように箱詰め完了箱の上方開口部より該箱内に取り外し可能な蓋を水平状態を維持しながら投入して上方開口部を密封状に閉鎖する蓋投入手段とを備えていることを特徴とする箱詰め蓋投入装置。
【請求項２】
洗浄された製品が熱風にて乾燥され、等分割された円板にて供給され、切粉、ゴミは回転ブラシで除去された後、入用な項目の検査を施して合格品のみが箱詰めシュートを通じて排出され、シュートから空箱に箱詰めされることを特徴とする請求項１に記載の箱詰め蓋投入装置。
【考案の詳細な説明】
【技術分野】
【０００１】    本考案はフォーマーにて圧造され、洗浄、乾燥、検査が施されて順次供給されてくる圧造製品を空箱に一定量箱詰めする箱詰め蓋投入装置に関する。
【背景技術】
【０００２】  従来この種の箱詰め装置としては、フォーマーにて圧造された例えばボルトやナットなどの圧造製品を洗浄機により洗浄し、その後乾燥機により乾燥し、然る後、入用な項目の検査を施して合格品の圧造製品のみを上方が開口する空箱に一定量投入して箱詰めし、箱詰めが完了すると、上方が開口したまま箱を所定の保管場所にコンベアなどにより搬送するようにしている。
【考案の開示】
【考案が解決しようとする課題】
【０００３】  ところが、上記した箱詰め装置によれば、箱詰めが完了すると、箱の上方が開口した状態のままとなっており、そのため、箱詰め完了後、箱を所定の保管場所に搬送する間に箱内に外部から異物が混入する問題があった。特に箱内の多数の圧造製品中に異物が混入すると、多数の圧造製品の中から異物を探し出すのが非常に困難で、手間がかかるものであった。【０００４】  そこで、本考案は、箱詰め完了時、箱の上方開口部を密封状に閉鎖して異物の混入を防止できる箱詰め蓋投入装置の提供を課題とする。
【課題を解決するための手段】
【０００５】  上記した課題を解決するために、本願の請求項１に記載の考案は、フォーマーにて圧造され、洗浄、乾燥、検査が施されて順次供給されてくる圧造製品を空箱に一定量箱詰めする箱詰め手段と、箱詰めが完了したとき、異物が混入しないように箱詰め完了箱の上方開口部より該箱内に取り外し可能な蓋を水平状態を維持しながら投入して上方開口部を密封状に閉鎖する蓋投入手段とを備えていることを特徴とする。【０００６】  また、本願の請求項２に記載の考案は、請求項１の構成に加えて、洗浄され熱風にて乾燥された圧造製品が等分割された円板に供給され、切粉、ゴミは回転ブラシで除去された後、入用な項目の検査を施して合格品のみが箱詰めシュートを通じて排出され、このシュートから空箱に箱詰めされることを特徴とする。
【考案の効果】
【０００７】  本考案によれば、箱詰めが完了したとき、異物が混入しないように箱詰め完了箱の上方開口部より該箱内に取り外し可能な蓋を水平状態を維持しながら投入して上方開口部を密封状に閉鎖する蓋投入手段を設けたから、箱詰め完了時、蓋投入手段により箱詰め完了箱の上方開口部を蓋により密封状に閉鎖して外部から該箱内の多数の圧造製品中への異物の混入を確実に防止できる。その上、箱詰め後における箱詰め完了箱の管理もきわめて容易ならしめることができる。【０００８】  また、洗浄され熱風にて乾燥された圧造製品が等分割された円板に供給され、切粉、ゴミは回転ブラシで除去された後、入用な項目の検査を施して合格品のみが箱詰め手段により箱詰めシュートを通じて排出され、このシュートから空箱に箱詰めするように構成すれば、大きな場所を要することなく合格品圧造製品のみを箱詰めシュートを介して空箱に供給することができるので好ましい。
【考案を実施するための最良の形態】
【０００９】  以下、本考案の実施の形態を図面に基づいて説明する。
図１は、本考案に係る箱詰め蓋投入装置を示すもので、該箱詰め装置は、フォーマー（図示せず）から送られてきた圧造製品Ｓを洗浄するドラムタイプの洗浄機１と、洗浄された圧造製品Ｓを熱風にて乾燥する乾燥機２と、洗浄乾燥された圧造製品Ｓが等分割された円板３ａに供給され、切粉、ゴミは回転ブラシ（図示せず）で除去された後、入用な項目の検査を施して合格品のみを箱詰めシュート４に送り込む検査手段３とでなる箱詰め手段５を備え、シュート４を通じて排出された圧造製品Ｓをシュート４先端の下方に待機する空箱Ａに箱詰めするようになされている。【００１０】  そして、シュート４の下方には、空箱Ａをシュート４の下方に搬送し、箱詰めが完了された箱Ａ′を箱取出位置Ｔに搬送するコンベア６と、シュート４と箱取出位置Ｔとの間に設けられ、箱詰めが完了したとき異物が混入しないように箱詰め完了箱Ａ′の上方開口部より該箱Ａ′内に取り外し可能な蓋Ｆを水平状態を維持しながら投入して上方開口部を密封状に閉鎖する蓋投入手段７とを備えている。なお、シュート４から排出された圧造製品Ｓが箱詰めされたとき、箱詰め完了箱Ａ′を例えばバイブレータなどの振動手段により振動させて箱Ａ′内における圧造製品Ｓの高さの均一化を図るようにしてもよい。【００１１】  コンベア６は、空箱Ａをシュート４の下方に搬送したとき一時停止され、この一時停止の間にシュート４から圧造製品Ｓが排出されて空箱Ａに箱詰めされる。また、空箱Ａは所定のタイミングで所定の間隔をおいてコンベア６上に順次供給され、箱詰めが完了すると所定のタイミングで箱取出位置Ｔ側に搬送されると同時に次に待機する空箱Ａがシュート４の下方に順次搬送される。【００１２】  一方、蓋投入手段７は、シュート４と箱取出位置Ｔとの間に配設される支持フレーム８にモータ９などの駆動状態により前後移動可能に設けられる移動体９と、移動体９に昇降シリンダ１０を介して昇降可能に設けられ複数の吸着パッド１１をもつ昇降体１２と、吸着パッド１１に連通管（図示せず）を介して連通連結される真空ポンプ１３と、支持フレーム８の後方側で移動体９の下方に配設され、多数枚の蓋Ｆを保持する蓋保持体１４とを備えている。【００１３】  そして、昇降シリンダ１０により昇降体１２を上昇させた状態で移動体９を後退位置に停止させ、その位置で昇降体１２を下降させて吸着パッド１１を蓋保持体１４上の蓋Ｆに宛がい、真空ポンプ１３の作動により一枚の蓋Ｆを吸着パッド１１で吸着し、その後、昇降体１２を上降させて蓋Ｆを持ち上げ、そのまま移動体９を前進させて、蓋投下位置の上方で停止させる一方、昇降体１２を下降させて、蓋投下位置にて停止状態で待機する箱詰めが完了した箱Ａ′に向って蓋Ｆを下降させ、箱詰め完了箱Ａ′の上方開口部から箱詰め完了箱Ａ′内に水平状態を維持しながら挿入し、吸着パッド１１による吸着を停止することにより蓋Ｆを投入して上方開口部を密封状に閉鎖するように構成している。【００１４】  斯くして、上記した構成の本考案の箱詰め蓋投入装置によれば、洗浄され熱風にて乾燥された圧造製品Ｓが等分割された円板３ａに供給され、切粉、ゴミは回転ブラシで除去された後、入用な項目の検査を施して合格品のみが箱詰め手段５��より箱詰めシュート４を通じて排出され、このシュート４から空箱Ａに箱詰めされるように構成しているので、大きな場所を要することなく合格品となった圧造製品Ｓのみを箱詰めシュート４を介して空箱Ａに供給することができる。【００１５】  また、コンベア６は、箱詰めが完了するとコンベア６により所定の間隔で次に待機する空箱Ａが順次のシュート４の下方に搬送される。そして、空箱Ａがシュート４の下方で一時停止しシュート４から空箱Ａに箱詰めされるタイミングを利用して、先の箱詰め完了箱Ａ′に蓋Ｆが投入される。【００１６】  その場合、図２の仮想線で示すように予め昇降体１２を上昇させた状態で移動体９を後退位置に停止させる。次に、その位置で昇降シリンダ１０により昇降体１２を下降させて図２の実線で示すように吸着パッド１１を蓋保持体１４上の蓋Ｆに宛がい、真空ポンプ１３の作動により一枚の蓋Ｆを吸着パッド１１で吸着する。その後、その吸着状態を維持したまま昇降シリンダ１０により昇降体１２を上降させ蓋Ｆを持ち上げ、さらに、図３の仮想線で示すように移動体９を前進させて、蓋Ｆを吸着した状態のまま蓋投下位置の上方に停止させ待機させる。然る後、コンベア６により箱詰めされた箱詰め完了箱Ａ′が蓋投下位置に搬送され、空箱Ａがシュート５の下方に搬送されて一時停止するタイミング、つまりシュート４から空箱Ａに箱詰めされるタイミングを利用して、昇降シリンダ１０により昇降体１２を下降させる。そして、蓋投下位置にて停止状態で待機する箱詰め完了箱Ａ′に向って蓋Ｆを下降させ、該箱Ａ′の上方開口部からその内部に水平状態を維持しながら挿入する。その後、吸着パッド１１による吸着を停止することにより図３及び図４に示すように蓋Ｆを該箱Ａ′内に投入して上方開口部を密封状に閉鎖する。これにより、以後外部からの箱詰め完了箱Ａ′内の圧造製品Ｓ中への異物の混入を確実に防止することができる。【００１７】  したがって、従来例のように箱詰め完了箱内の圧造製品中に混入して、多数の圧造製品の中から異物を探し出すといった非常に困難で、手間のかかる作業を不要にでき、また、箱詰め後における箱詰め完了箱Ａ′の管理もきわめて容易ならしめることができる。【００１８】  また、蓋Ｆを箱詰め完了箱Ａ′に投入した後は、蓋Ｆを箱詰め完了箱Ａ′はコンベア６により箱取出位置Ｔに搬送される一方、蓋投入手段７は昇降シリンダ１０により昇降体１２を上昇させた後、移動体９を後退位置に移動させ、その後下降して蓋保持体１４上の蓋Ｆを吸着し、然る後蓋投下位置の上方に移動して待機するといった上述の動作を繰り返し行うことになる。【００１９】  図５は、箱詰め手段５の別の実施の形態をを示すもので、フォーマー（図示せず）から送られてきた合格圧造製品Ｓを洗浄乾燥する螺旋ヒレ付きドラム内１Ａに供給し、圧造製品Ｓをその入口から出口に順次移動させる一方、その移動する間の前半部において、ドラム１Ａ内の前半中心部に配設された洗浄機（図示せず）の洗浄ノズル管１Ｂから噴射される洗浄液で圧造製品Ｓを洗浄し、その表面に付着する切粉、ゴミを除去し、また後半部においてドラム内の前半中心部に配設された乾燥機（図示せず）の乾燥ノズル管１Ｃから噴射される乾燥液で洗浄さ���た圧造製品Ｓを熱風にて乾燥し、その後、洗浄乾燥された圧造製品Ｓを合格品として箱詰めシュート４を通じて排出された圧造製品Ｓをシュート４先端の下方に待機する空箱Ａに箱詰めするように構成したものである。斯かる構成の箱詰め手段５によれば、圧造製品Ｓをドラム１Ａ内にて積極的に掻き回しながら洗浄、乾燥できるのでその洗浄、乾燥効率が非常に高く、箱詰め手段５全体のコンパクト化を図ることができる。なお、圧造製品Ｓを洗浄、乾燥させた後、さらに入用な項目の検査工程を入れるようにしてもよい。
【図面の簡単な説明】
【００２０】
【図１】  本考案に係る箱詰め蓋投入装置の概略平面図である。
【図２】  同箱詰め装置の蓋投入手段の側面図である。
【図３】  同蓋投入手段による蓋投入時の側面図である。
【図４】  同蓋投入手段による蓋投入動作の説明図である。
【符号の説明】
【００２１】  ５          箱詰め手段
７          蓋投入手段
Ａ          空箱
Ａ′        箱詰め完了箱
Ｓ          圧造製品
【図１】
0003134576.tif 000003
【図２】
0003134576.tif 000004
【図３】
0003134576.tif 000005
【図４】
0003134576.tif 000006
【図５】
0003134576.tif 000007
【手続補正書】
【提出日】平成19年3月30日(2007.3.30)
【手続補正１】
【補正対象書類名】実用新案登録請求の範囲
【補正対象項目名】全文
【補正方法】変更
【補正の内容】
【実用新案登録請求の範囲】
【請求項１】
フォーマーにて圧造された圧造製品を洗浄する洗浄機と、洗浄された圧造製品を乾燥する乾燥機と、洗浄乾燥された圧造製品を合格品として空箱に箱詰めする箱詰めシュートとからなる箱詰め手段と、空箱をシュートの下方に搬送し、箱詰めが完了した箱を箱取出し位置に搬送するコンベアとを備える一方、シュートと箱取出位置との間に配置される支持フレームと、該支持フレームに昇降可能に設けられ、かつ箱内に投入されてその上方開口部を密封状に閉鎖する蓋を水平状に吸着する吸着パッドをもつ昇降体と、吸着パッドに連通連結される真空ポンプと、多数枚の蓋を保持する蓋保持体とからなる蓋投入手段を設け、箱詰めが完了したとき、吸着パッドにて蓋を水平状に維持しながら昇降体を降下させ、下降位置で箱内に蓋を投入するように構成したことを特徴とする箱詰め蓋投入装置。
【請求項２】
箱詰め手段は洗浄乾燥された圧造製品が供給される等分割された円板と、供給された圧造製品の切粉、ゴミを除去する回転ブラシとを備え、かつ入用な項目の検査のみを施して合格品のみを箱詰めシュートに送り込む検査機構を備えていることを特徴とする請求項１に記載の箱詰め蓋投入装置。
【手続補正２】
【補正対象書類名】明細書
【補正対象項目名】０００５
【補正方法】変更
【補正の内容】
【０００５】  上記した課題を解決するために、本願の請求項１に記載の考案は、フォーマーにて圧造された圧造製品を洗浄する洗浄機と、洗浄された圧造製品を乾燥する乾燥機と、洗浄乾燥された圧造製品を合格品として空箱に箱詰めする箱詰めシュートとからなる箱詰め手段と、空箱をシュートの下方に搬送し、箱詰めが完了した箱を箱取出し位置に搬送するコンベアとを備える一方、シュートと箱取出位置との間に配置される支持フレームと、該支持フレームに昇降可能に設けられ、かつ箱内に投入されてその上方開口部を密封状に閉鎖する蓋を水平状に吸着する吸着パッドをもつ昇降体と、吸着パッドに連通連結される真空ポンプと、多数枚の蓋を保持する蓋保持体とからなる蓋投入手段を設け、箱詰めが完了したとき、吸着パッドにて蓋を水平状に維持しながら昇降体を降下させ、下降位置で箱内に蓋を投入するように構成したことを特徴とする。
【手続補正３】
【補正対象書類名】明細書
【補正対象項目名】０００６
【補正方法】変更
【補正の内容】
【０００６】  また、本願の請求項２に記載の考案は、箱詰め手段は洗浄乾燥された圧造製品が供給される等分割された円板と、供給された圧造製品の切粉、ゴミを除去する回転ブラシとを備え、かつ入用な項目の検査のみを施して合格品のみを箱詰めシュートに送り込む検査機構を備えていることを特徴とする。
【手続補正４】
【補正対象書類名】明細書
【補正対象項目名】０００９
【補正方法】変更
【補正の内容】
【０００９】  以下、本考案の実施の形態を図面に基づいて説明する。
図１は、本考案に係る箱詰め蓋投入装置を示すもので、該箱詰め蓋投入装置は、フォーマー（図示せず）から送られてきた圧造製品Ｓを洗浄するドラムタイプの洗浄機１と、洗浄された圧造製品Ｓを熱風にて乾燥する乾燥機２と、洗浄乾燥された圧造製品Ｓが等分割された円板３ａに供給され、切粉、ゴミは回転ブラシ（図示せず）で除去された後、入用な項目の検査を施して合格品のみを箱詰めシュート４に送り込む検査機構３とでなる箱詰め手段５を備え、シュート４を通じて排出された圧造製品Ｓをシュート４先端の下方に待機する空箱Ａに箱詰めするようになされている。
【手続補正４】
【補正対象書類名】明細書
【補正対象項目名】００２０
【補正方法】変更
【補正の内容】
【００２０】
【図１】  本考案に係る箱詰め蓋投入装置の概略平面図である。
【図２】  同箱詰め装置の蓋投入手段の側面図である。
【図３】  同蓋投入手段による蓋投入時の側面図である。
【図４】  同蓋投入手段による蓋投入動作の説明図である。
【図５】  箱詰め手段の別の実施形態を示す概略平面図である。